(57)【要約】【課題】磁気トンネル接合（ＭＴＪ）デバイスおよび製作方法が、開示される。【解決手段】特定の実施形態では、底部キャップ層および垂直軸を有する底部金属充填トレンチを含む構造体上に磁気トンネル接合（ＭＴＪ）デバイスを形成するステップを含む方法が、開示され、磁気トンネル接合デバイスは、底部電極、磁気トンネル接合層、磁気トンネル接合シール層、上部電極、およびロジックキャップ層を含み、磁気トンネル接合デバイスは、垂直軸からオフセットしているＭＴＪ軸を有する。【選択図】図７
2014135518.tif 000002
【特許請求の範囲】
【請求項１】
金属パッドを取り囲む底部キャップ層を含む構造体と、
前記構造体に結合された底部電極を含む磁気トンネル接合（ＭＴＪ）デバイスと
を含む装置であって、
前記ＭＴＪデバイスが、磁気トンネル接合層と、上部電極と、ロジックキャップ層とを含み、
前記ＭＴＪデバイスが前記金属パッドに対してオフセットしている、装置。
【請求項２】
前記オフセットが、前記金属パッドの表面に平行な方向での距離を規定する、請求項１に記載の装置。
【請求項３】
前記磁気トンネル接合層の容易軸磁気トンネル接合磁気アニールが、前記ＭＴＪデバイスの磁場配向を整列させる、請求項１に記載の装置。
【請求項４】
前記底部キャップ層が、炭化シリコン又は窒化シリコンを含む、請求項１に記載の装置。
【請求項５】
前記底部電極が、タンタル及び窒化タンタルの少なくとも一方を含む、請求項１に記載の装置。
【請求項６】
前記上部電極が、タンタル及び窒化タンタルの少なくとも一方を含む、請求項１に記載の装置。
【請求項７】
前記ロジックキャップ層が、炭化シリコン又は窒化シリコンを含む、請求項１に記載の装置。
【請求項８】
少なくとも一つの半導体ダイに統合された請求項１に記載の装置。
【請求項９】
セットトップボックス、音楽プレーヤー、ビデオプレーヤー、娯楽装置、ナビゲーションデバイス、通信デバイス、携帯情報端末（ＰＤＡ）、固定位置データ装置、及びコンピュータから成る群から選択されたデバイスを更に含み、該デバイス内に前記少なくとも一つの半導体ダイが統合されている、請求項８に記載の装置。
【請求項１０】
金属パッドを支持し取り囲むための手段と、
前記金属パッドに磁気トンネル接合（ＭＴＪ）デバイスを結合するための手段と
を含む装置であって、
前記ＭＴＪデバイスが前記金属パッドに対してオフセットしていて、
前記ＭＴＪデバイスが、前記ＭＴＪデバイス内にデータを記憶するための手段と、電流を流すための手段とを含む、装置。
【請求項１１】
前記ＭＴＪデバイスが少なくとも一つの半導体ダイに統合されている、請求項１０に記載の装置。
【請求項１２】
セットトップボックス、音楽プレーヤー、ビデオプレーヤー、娯楽装置、ナビゲーションデバイス、通信デバイス、携帯情報端末（ＰＤＡ）、固定位置データ装置、及びコンピュータから成る群から選択されたデバイスを更に含み、該デバイス内に前記少なくとも一つの半導体ダイが統合されている、請求項１１に記載の装置。
【請求項１３】
電子デバイスのプロセッサによって、記憶デバイスに情報を書き込むステップと、
前記記憶デバイスから前記情報を読み出すステップと
を含む方法であって、前記記憶デバイスが、
金属パッドを取り囲む底部キャップ層を含む構造体と、
前記構造体に結合された底部電極を含む磁気トンネル接合（ＭＴＪ）デバイスとを含み、
前記ＭＴＪデバイスが、磁気トンネル接合層と、上部電極と、ロジックキャップ層とを含み、
前記ＭＴＪデバイスが、前記金属パッドに対してオフセットしている、方法。
【請求項１４】
前記オフセットが、前記金属パッドの表面に平行な方向での距離を規定する、請求項１３に記載の方法。
【請求項１５】
前記磁気トンネル接合層の容易軸磁気トンネル接合磁気アニールが、前記ＭＴＪデバイスの磁場配向を整列させる、請求項１３に記載の方法。
【請求項１６】
前記底部キャップ層が、炭化シリコン又は窒化シリコンを含む、請求項１３に記載の方法。
【請求項１７】
前記底部電極が、タンタル及び窒化タンタルの少なくとも一方を含む、請求項１３に記載の方法。
【請求項１８】
前記上部電極が、タンタル及び窒化タンタルの少なくとも一方を含む、請求項１３に記載の方法。
【請求項１９】
前記ロジックキャップ層が、炭化シリコン又は窒化シリコンを含む、請求項１３に記載の方法。
【請求項２０】
記憶装置に情報を書き込むことと、
前記記憶装置から前記情報を読み出すこととをプロセッサによって実行可能な命令を記憶しているコンピュータ可読記憶デバイスであって、
前記記憶装置が、
金属パッドを取り囲む底部キャップ層を含む構造体と、
前記構造体に結合された底部電極を含む磁気トンネル接合（ＭＴＪ）デバイスとを含み、
前記ＭＴＪデバイスが、磁気トンネル接合層と、上部電極と、ロジックキャップ層とを含み、
前記ＭＴＪデバイスが、前記金属パッドに対してオフセットしている、コンピュータ可読記憶デバイス。
【発明の詳細な説明】
【技術分野】
【０００１】
本開示は一般に、磁気トンネル接合（ＭＴＪ）デバイスおよび製作に関する。
【背景技術】
【０００２】
ＭＴＪ素子は、磁気ランダムアクセスメモリ（ＭＲＡＭ）を作るために使用されうる。ＭＴＪ素子は典型的には、ピン止め層、磁気トンネル障壁、および自由層を含み、ビット値は、自由層での磁気モーメントによって表される。ＭＴＪ素子によって保存されるビット値は、ピン止め層によって運ばれる固定磁気モーメントの方向に対する自由層の磁気モーメントの方向によって決定される。ピン止め層の磁化は、固定され、一方自由層の磁化は、切り替えることができる。
【０００３】
ＭＴＪ素子を含有するＭＲＡＭ領域ならびにロジックおよび制御素子を含有するロジック領域は、同じウェハー上に製作されうる。ＭＴＪ素子を形成するために使用される構造およびプロセス順序は一般に、ロジックおよび制御素子を形成するために使用される構造およびプロセス順序と異なる。ＭＲＡＭ領域およびロジック領域の両方に悪影響を及ぼすことなく両方の種類のプロセスを一緒に統合することは、難題となりうる。例えば、あるＭＲＡＭプロセスは、もしプロセスステップの順序の前の方で行われるならば、ロジック領域の層間絶縁膜（ＩＬＤ）または内部金属層（ＩＭＤ）部分にリセスを生じさせうる。同様に、あるロジックプロセスは、もしプロセスステップの順序の前の方で行われるならば、ＭＲＡＭ領域での表面粗さを増加させうる。ＭＴＪ素子は、例えば下に位置する銅層の表面粗さによって影響を受けうる。加えて、従来のＭＴＪ素子とともに使用される底部ビアは、ＭＴＪ素子に直列抵抗を追加することもあり、それは、ＭＴＪ素子のトンネル磁気抵抗（ＴＭＲ）を劣化させうる。
【発明の概要】
【課題を解決するための手段】
【０００４】
ＭＲＡＭおよびロジックプロセスは、一緒に統合されて、ＭＴＪデバイスについて表面粗さの懸念を除去し、ロジック領域の層間絶縁膜（ＩＬＤ）部分でのリセスの形成を回避することができる。ＭＲＡＭ処理に起因するロジック領域でのロジック層への損傷は、銅ダマシンプロセスが行われる前に形成される底部キャップ層を実装することによって回避できる。銅表面粗さの影響は、ＭＴＪデバイスを銅パッドから遠ざけることによって回避できる。底部ビアの追加された直列抵抗は、ＭＴＪの底部電極を銅パッドに直接接触させることによって回避できる。底部キャップ層の表面粗さは、最初に底部キャップ層上に底部電極を堆積させ、次いで底部電極上にＭＴＪ膜を追加することによって低減できる。ＭＲＡＭプロセスは、ロジックプロセスが行われる前に行われてもよい。上部ビアは、ＭＴＪデバイスの最上部を選択的に開けるために追加されてもよい。上部ビアの高さは、調節可能であってもよい。
【０００５】
特定の実施形態では、底部キャップ層および垂直軸を有する底部金属充填トレンチを含む構造体上に磁気トンネル接合（ＭＴＪ）デバイスを形成するステップを含む方法が、開示される。磁気トンネル接合デバイスは、底部電極、磁気トンネル接合層（反強磁性層、固定層、トンネル障壁、自由層、その他）、磁気トンネル接合シール層、上部電極、およびロジックキャップ層を含む。磁気トンネル接合デバイスは、垂直軸からオフセットしているＭＴＪ軸を有する。その方法はまた、ロジックキャップ層の上に絶縁層を形成し、平坦化するステップも含む。その方法はさらに、絶縁層に上部トレンチを開けるために、上部電極への上部ビアを開けるために、底部金属充填トレンチ中の金属へのロジックビアを開けるために、または上部ビアおよびロジックビアを開けるために、上部トレンチおよび上部ビアに、ロジックビアに、もしくは上部ビアおよびロジックビアに銅を堆積させるために、かつ堆積銅の銅化学機械平坦化を行うために、銅ダマシンプロセスを行うステップを含む。
【０００６】
別の特定の実施形態では、金属パッドを取り囲む底部キャップ層を含む構造体を含む装置が、開示される。装置はまた、構造体に結合される底部電極を含む磁気トンネル接合（ＭＴＪ）デバイスも含む。ＭＴＪデバイスは、磁気トンネル接合層（反強磁性層、固定層、トンネル障壁層、自由層、ＭＴＪキャップ層、その他）、上部電極、およびロジックキャップ層を含み、ＭＴＪデバイスは、金属パッドに関してオフセットしている。
【０００７】
別の特定の実施形態では、基板の上に第１の絶縁層を形成するステップを含む方法が、開示される。その方法はまた、第１の絶縁層の上に底部キャップ層を形成するステップも含む。その方法はさらに、第１の絶縁層に底部トレンチおよび底部ビアを開けるために、底部トレンチおよび底部ビアに銅をめっきするために、かつ銅化学機械平坦化を行うために、第１の銅ダマシンプロセスを行うステップを含む。銅充填底部トレンチは各々、垂直軸を有する。その方法はまた、底部キャップ層の上および銅充填底部トレンチの上に底部電極を形成するステップ、底部電極の上に磁気トンネル接合層を形成するステップ、磁気トンネル接合層の上にハードマスクを形成するステップ、ならびに隣接銅充填底部トレンチの垂直軸からオフセットしているＭＴＪ軸を各々有する磁気トンネル接合（ＭＴＪ）構造体をパターン形成するステップも含む。その方法はさらに、磁気トンネル接合構造体の上におよび隣接してならびに底部電極の上に磁気トンネル接合シール層を形成するステップを含む。その方法はまた、磁気トンネル接合シール層の上に第２の絶縁層を形成し、第２の絶縁層を平坦化するステップおよび磁気トンネル接合構造体の最上部を開けるステップも含む。その方法はさらに、平坦化された第２の絶縁層の上および磁気トンネル接合構造体の最上部の上に上部電極を形成するステップならびに上部電極および底部電極をパターン形成するステップを含む。その方法はまた、底部キャップ層の上にロジックキャップ層を形成するステップも含み、ロジックキャップ層は、磁気トンネル接合シール層に隣接し、第２の絶縁層に隣接しかつパターン形成された上部電極の上にある。その方法はさらに、ロジックキャップ層の上に第３の絶縁層を形成し、平坦化するステップ、ならびに第３の絶縁層に上部トレンチを開け、パターン形成された上部電極への上部ビアおよび銅充填底部トレンチの１つへのロジックビアの少なくとも１つを開けるために、上部トレンチならびに上部ビアおよびロジックビアの少なくとの１つに銅をめっきするために、かつ銅化学機械平坦化を行うために、第２の銅ダマシンプロセスを行うステップを含む。
【０００８】
開示される実施形態の少なくとも１つによって提供される１つの特別な利点は、ＭＲＡＮおよびロジックプロセスが、シームレスに一緒に統合されて、ＭＴＪデバイスについて表面粗さの懸念を除去し、ロジック領域の層間絶縁膜（ＩＬＤ）部分でのリセスの形成を回避できることである。ＭＲＡＭ処理に起因するロジック領域でのロジック層への損傷は、銅ダマシンプロセスが行われる前に形成される底部キャップ層を実装することによって回避できる。底部キャップ層の表面粗さは、最初に底部キャップ層上に底部電極を堆積させ、次いで底部電極上にＭＴＪ膜を堆積させることによって低減できる。本開示の他の態様、利点、および特徴は、次の節、「図面の簡単な説明」、「詳細な説明」、および「特許請求の範囲」を含む、本出願全体の概観の後に明らかになる。
【図面の簡単な説明】
【０００９】
【図１】第１の絶縁層上に底部キャップ層を形成するステップの後の磁気トンネル接合（ＭＴＪ）デバイスを製作するプロセスでの少なくとも１つの段階の第１の説明に役立つ図である。
【図２】第１の絶縁層に底部金属充填トレンチおよび底部ビアを形成するステップの後の磁気トンネル接合（ＭＴＪ）デバイスを製作するプロセスでの少なくとも１つの段階の第２の説明に役立つ図である。
【図３】ＭＴＪ構造体をパターン形成するためにハードマスク上にフォトレジストを形成するステップの後の磁気トンネル接合（ＭＴＪ）デバイスを製作するプロセスでの少なくとも１つの段階の第３の説明に役立つ図である。
【図４】ＭＴＪ構造体上に第２の絶縁層を形成するステップの後の磁気トンネル接合（ＭＴＪ）デバイスを製作するプロセスでの少なくとも１つの段階の第４の説明に役立つ図である。
【図５】上部電極および底部電極をパターン形成するためにハードマスクおよびフォトレジストを形成するステップの後の磁気トンネル接合（ＭＴＪ）デバイスを製作するプロセスでの少なくとも１つの段階の第５の説明に役立つ図である。
【図６】第３の絶縁層を形成し、平坦化するステップの後の磁気トンネル接合（ＭＴＪ）デバイスを製作するプロセスでの少なくとも１つの段階の第６の説明に役立つ図である。
【図７】第３の絶縁層に上部銅充填トレンチならびに上部ビアおよびロジックビアを形成するステップの後の磁気トンネル接合（ＭＴＪ）デバイスを製作するプロセスでの少なくとも１つの段階の第７の説明に役立つ図である。
【図８】第３の絶縁層に上部銅充填トレンチならびに上部ビアおよびロジックビアを形成するステップの後で、上部ビアおよびロジックビアは、図７の上部ビアおよびロジックビアと異なる高さを有する、磁気トンネル接合（ＭＴＪ）デバイスを製作するプロセスでの少なくとも１つの段階の第８の説明に役立つ図である。
【図９】磁気トンネル接合（ＭＴＪ）デバイスを形成する方法の第１の説明に役立つ実施形態の流れ図である。
【図１０】磁気トンネル接合（ＭＴＪ）デバイスを形成する方法の第２の説明に役立つ実施形態の第１の部分の流れ図である。
【図１１】磁気トンネル接合（ＭＴＪ）デバイスを形成する方法の第２の説明に役立つ実施形態の第２の部分の流れ図である。
【図１２】オフセットＭＴＪ軸を持つＭＴＪ構造体を有するモジュールを含む携帯型通信デバイスの特定の実施形態のブロック図である。
【図１３】磁気トンネル接合（ＭＴＪ）デバイスとともに使用するための製造プロセスを例示するデータ流れ図である。
【発明を実施するための形態】
【００１０】
本開示の特定の実施形態は、図面を参照して以下で述べられる。その記述では、共通の特徴は、図面を通して共通の参照番号によって指定される。図１を参照すると、磁気トンネル接合（ＭＴＪ）デバイスを製作するプロセスでの少なくとも１つの段階の第１の説明に役立つ図が、描写され、全体的に１００と指定される。第１の絶縁層１０４は、基板１０２の上に形成されてもよい。基板１０２は、他の下に位置する層のためのキャップ層などの、任意の下に位置する層を表す。例えば、第１の絶縁層１０４は、基板１０２に堆積される材料から形成されてもよい。底部キャップ層１０６は、第１の絶縁層１０４の上に形成されてもよい。例えば、底部キャップ層１０６は、第１の絶縁層１０４に堆積される材料から形成されてもよい。特定の実施形態では、底部キャップ層１０６は、炭化シリコン（ＳｉＣ）または窒化シリコン（ＳｉＮ、その他）を含む。ウェハーのＭＲＡＭ領域１０８が、図示され、ウェハーのロジック領域１１０が、図示される。底部キャップ層１０６は、ＭＲＡＭ領域１０８およびロジック領域１１０の絶縁層でのリセスの形成を防ぐことができる。
【００１１】
図２を参照すると、磁気トンネル接合（ＭＴＪ）デバイスを製作するプロセスでの少なくとも１つの段階の第２の説明に役立つ図が、描写され、全体的に２００と指定される。第１の銅ダマシンプロセスは、第１の絶縁層１０４に底部トレンチ２０２および底部ビア２０４を開けるために、底部トレンチ２０２および底部ビア２０４に銅をめっきするまたはさもなければ堆積させるために、かつ銅化学機械平坦化を行うために、行われてもよい。例えば、ロジックプロセスは、ロジック領域１１０での底部トレンチ２０２および底部ビア２０４中の銅の配置を規定してもよい。代替実施形態では、銅の他に別の導電性金属が、使用されてもよい。銅充填底部トレンチ２０２は各々、垂直軸２２０を有する。銅充填底部トレンチ２０２の各々の表面は、銅パッド２３０を形成する。
【００１２】
図３を参照すると、磁気トンネル接合（ＭＴＪ）デバイスを製作するプロセスでの少なくとも１つの段階の第３の説明に役立つ図が、描写され、全体的に３００と指定される。底部電極３０２は、底部キャップ層１０６の上および底部トレンチ２０２中の銅の上に形成されてもよい。例えば、底部電極３０２は、底部キャップ層１０６および底部トレンチ２０２中の銅に堆積される材料から形成されてもよい。特定の実施形態では、底部電極３０２は、タンタルおよび窒化タンタルの少なくとも１つを含む。底部トレンチ２０２中の銅上に直接底部電極３０２を形成することは、底部電極３０２と底部トレンチ２０２中の銅との間に底部ビアを使用することと比べて、その後に形成されるＭＴＪデバイスの直列抵抗を低減する。
【００１３】
磁気トンネル接合層３０４は、底部電極３０２の上に形成されてもよい。例えば、磁気トンネル接合層３０４は、底部電極３０２に堆積される材料から形成されてもよい。底部電極３０２および磁気トンネル接合層３０４は、底部トレンチ２０２中の銅を一時的にシールし、保護することができる。特定の実施形態では、磁気トンネル接合層３０４の少なくとも１つの容易軸磁気トンネル接合磁気アニールは、図４で示される、その後に形成される磁気トンネル接合構造体４０２の磁場配向を整列させる。ハードマスク３０６は、磁気トンネル接合層３０４の上に形成されてもよい。例えば、ハードマスク３０６は、磁気トンネル接合層３０４に堆積される材料から形成されてもよい。フォトレジスト３０８は、図４で示される磁気トンネル接合構造体４０２をパターン形成するために、ハードマスク３０６の上に形成され、パターン形成されてもよい。例えば、フォトレジスト３０８は、ハードマスク３０６に堆積される材料から形成されてもよく、フォトリソグラフィー技術によってパターン形成されてもよい。
【００１４】
図４を参照すると、磁気トンネル接合（ＭＴＪ）デバイスを製作するプロセスでの少なくとも１つの段階の第４の説明に役立つ図が、描写され、全体的に４００と指定される。磁気トンネル接合（ＭＴＪ）構造体４０２は、底部電極３０２の上に形成されてもよく、また底部トレンチ２０２中の銅に重ならないように底部トレンチ２０２中の銅からオフセットして形成されてもよい。磁気トンネル接合構造体４０２は各々、隣接銅充填底部トレンチ２０２の垂直軸２２０からオフセット４３０だけオフセットしているＭＴＪ軸４２０を有してもよい。ＭＴＪ軸４２０は、構造上の軸であり、ＭＴＪ磁化軸４２２と一致してもよくまたはしなくてもよい。面内磁化の場合は、ＭＴＪ磁化軸４２２は、実質的に水平で、障壁層４０６に実質的に平行であってもよく、ＭＴＪ磁化軸４２２は、図示されるように紙面と平行、または紙面に垂直とすることができる。垂直ＭＴＪ（図示されず）の面外磁化の場合は、ＭＴＪ磁化軸４２２は、ＭＴＪ軸４２０に実質的に平行であってもよい。底部トレンチ２０２中の銅からオフセットし、底部トレンチ２０２中の銅に重ならない磁気トンネル接合構造体４０２を形成することは、底部トレンチ２０２中の銅の表面粗さの影響から磁気トンネル接合構造体４０２を保護することができる。特定の実施形態では、垂直軸２２０からのＭＴＪ軸４２０のオフセット４３０は、磁気トンネル接合構造体４０２の幅よりも大きい。オフセット４３０は、磁気トンネル接合構造体４０２が、底部キャップ層１０６の上に形成され、銅パッド２３０の上に広がらないことを保証するように選択されてもよい。磁気トンネル接合構造体４０２は、反強磁性層（ＡＦＭ）（図示されず）、固定層４０４、障壁層４０６、自由層４０８、およびＭＴＪキャップ層（図示されず）を含んでもよい。
【００１５】
磁気トンネル接合シール層４１０は、磁気トンネル接合構造体４０２の上におよび隣接してならびに底部電極３０２の上に形成されてもよい。例えば、磁気トンネル接合シール層４１０は、磁気トンネル接合構造体４０２上におよび隣接してならびに底部電極３０２上に堆積される材料から形成されてもよい。特定の実施形態では、磁気トンネル接合シール層４１０は、窒化シリコン（ＳｉＮ）または炭化シリコン（ＳｉＣ、その他）を含む。第２の絶縁層４１２は、磁気トンネル接合シール層４１０の上に形成されてもよい。例えば、第２の絶縁層４１２は、磁気トンネル接合シール層４１０の上に堆積される材料から形成されてもよい。
【００１６】
図５を参照すると、磁気トンネル接合（ＭＴＪ）デバイスを製作するプロセスでの少なくとも１つの段階の第５の説明に役立つ図が、描写され、全体的に５００と指定される。第２の絶縁層４１２は、平坦化されてもよく、磁気トンネル接合構造体４０２の最上部５０４は、開けられてもよい。上部電極５０２は、平坦化された第２の絶縁層４１２の上および磁気トンネル接合構造体４０２の最上部５０４の上に形成されてもよい。例えば、上部電極５０２は、平坦化された第２の絶縁層４１２および磁気トンネル接合構造体４０２の最上部５０４に堆積される材料から形成されてもよい。特定の実施形態では、上部電極５０２は、タンタルおよび窒化タンタルの少なくとも１つを含む。
【００１７】
ハードマスクおよびフォトレジスト５０６は、上部電極５０２および底部電極３０２をパターン形成するために上部電極５０２の上に形成され、パターン形成されてもよい。例えば、ハードマスクおよびフォトレジスト５０６は、上部電極５０２に堆積される材料から形成されてもよく、フォトリソグラフィー技術によってパターン形成されてもよい。
【００１８】
図６を参照すると、磁気トンネル接合（ＭＴＪ）デバイスを製作するプロセスでの少なくとも１つの段階の第６の説明に役立つ図が、描写され、全体的に６００と指定される。上部電極５０２および底部電極３０２は、図５のハードマスクおよびフォトレジスト５０６のパターン形成に従ってパターン形成されてもよい。ＭＲＡＭ領域１０８では、図５のハードマスクおよびフォトレジスト５０６によって保護されないそれらの領域のすべての層が、底部キャップ層１０６に至るまで除去されている。ロジック領域１１０では、すべての層が、底部キャップ層１０６および底部トレンチ２０２中の銅に至るまで除去されている。
【００１９】
ロジックキャップ層６０２は、底部キャップ層１０６の上に形成されてもよく、ロジックキャップ層６０２は、磁気トンネル接合シール層４１０に隣接し、第２の絶縁層４１２に隣接し、かつパターン形成された上部電極５０２の上にある。例えば、ロジックキャップ層６０２は、底部キャップ層１０６上に、磁気トンネル接合シール層４１０に隣接して、第２の絶縁層４１２に隣接して、かつパターン形成された上部電極５０２上に堆積される材料から形成されてもよい。ＭＲＡＭ領域１０８では、ロジックキャップ層６０２は、磁気トンネル接合構造体４０２をシールすることができる。ロジック領域１１０では、ロジックキャップ層６０２は、底部キャップ層１０６の上および底部トレンチ２０２中の銅の上に形成されてもよい。例えば、ロジック領域１１０では、ロジックキャップ層６０２は、底部キャップ層１０６および底部トレンチ２０２中の銅に堆積される材料から形成されてもよい。ロジック領域１１０では、ロジックキャップ層６０２は、底部トレンチ２０２中の銅をシールすることができる。特定の実施形態では、ロジックキャップ層６０２は、炭化シリコン（ＳｉＣ）または窒化シリコン（ＳｉＮ、その他）を含む。第３の絶縁層６０４は、ロジックキャップ層６０２の上に形成され、平坦化されてもよい。例えば、第３の絶縁層６０４は、ロジックキャップ層６０２に堆積される材料から形成され、平坦化されてもよい。
【００２０】
図７を参照すると、磁気トンネル接合（ＭＴＪ）デバイスを製作するプロセスでの少なくとも１つの段階の第７の説明に役立つ図が、描写され、全体的に７００と指定される。第２の銅ダマシンプロセスは、第３の絶縁層６０４に上部トレンチ７０２を開け、パターン形成された上部電極５０２への上部ビア７０４および底部トレンチ２０２中の銅へのロジックビア７０６の少なくとも１つを開けるために、上部トレンチ７０２ならびに上部ビア７０４およびロジックビア７０６の少なくとも１つに銅をめっきするまたはさもなければ堆積させるために、かつ銅化学機械平坦化を行うために、行われてもよい。特定の実施形態では、上部ビア７０４およびロジックビア７０６は、共通のプロセス段階で一緒に形成できる。上部ビア７０４およびロジックビア７０６を共通のプロセス段階で一緒に形成することは、上部ビア７０４およびロジックビア７０６を別個のプロセス段階で形成することと比べて、余分なフォトリソグラフィーマスク形成ステップを不要にする。代替実施形態では、上部ビア７０４は、ロジックビア７０６とは独立に磁気トンネル接合構造体４０２のロジックキャップ層６０２へ選択的に開けられてもよい。特定の実施形態では、最終キャップ層７０８は、上部トレンチ７０２中の銅の上および第３の絶縁層６０４の上に形成されてもよい。例えば、最終キャップ層７０８は、上部トレンチ７０２中の銅および第３の絶縁層６０４に堆積される材料から形成されてもよい。
【００２１】
銅パッド２３０などの金属パッドを取り囲む底部キャップ層１０６を含む構造体７１２を含む装置７１０が、形成されてもよい。装置７１０はまた、磁気トンネル接合（ＭＴＪ）デバイス７１４も含み、ＭＴＪデバイス７１４は、構造体７１２に結合される底部電極３０２を含み、ＭＴＪデバイス７１４は、磁気トンネル接合構造体４０２中の磁気トンネル接合層、上部電極５０２、およびロジックキャップ層６０２を含み、ＭＴＪデバイス７１４は、銅パッド２３０などの金属パッドに関してオフセットしている。特定の実施形態では、オフセット４３０は、基板１０２に実質的に平行で、基板１０２から最も遠い、銅パッド２３０の表面などの金属パッドの表面に平行な方向での距離を規定する。特定の実施形態では、底部キャップ層１０６は、銅充填底部トレンチ２０２が形成される前に形成される。磁気トンネル接合構造体４０２中の磁気トンネル接合層は、銅パッド２３０に重ならなくてもよい。特定の実施形態では、ＭＴＪデバイス７１４の磁気トンネル接合構造体４０２中の磁気トンネル接合層は、銅パッド２３０の真上ではない。
【００２２】
図８を参照すると、磁気トンネル接合（ＭＴＪ）デバイスを製作するプロセスでの少なくとも１つの段階の第８の説明に役立つ図が、描写され、全体的に８００と指定される。特定の実施形態では、上部ビア７０４の高さは、調節可能である。図７および図８は、処理要件および層厚さに従って調節されてもよい異なる高さを有する上部ビア７０４を示す。例えばエッチングによる上部ビア７０４の形成は、磁気トンネル接合構造体４０２のロジックキャップ層６０２で止まる。同様に、例えばエッチングによるロジックビア７０６の形成は、底部トレンチ２０２中の銅上のロジックキャップ層６０２で止まる。金属トレンチエッチングは、上部ビア７０４およびロジックビア７０６のロジックキャップ層６０２を突き破ることになる。次いで金属めっきまたは堆積は、上部ビア７０４、ロジックビア７０６、および上部トレンチ７０２中に金属を充填することができる。金属化学機械平坦化（ＣＭＰ）プロセスは、上部トレンチ７０２の上の余分な金属膜を除去することになる。
【００２３】
図９は、磁気トンネル接合（ＭＴＪ）デバイスを形成する方法の第１の説明に役立つ実施形態９００の流れ図である。第１の説明に役立つ実施形態９００では、その方法は、９０２において、底部キャップ層および垂直軸を有する底部金属充填トレンチを含む構造体上に磁気トンネル接合（ＭＴＪ）デバイスを形成するステップを含み、磁気トンネル接合デバイスは、底部電極、磁気トンネル接合層、磁気トンネル接合シール層、上部電極、およびロジックキャップ層を含み、磁気トンネル接合デバイスは、垂直軸からオフセットしているＭＴＪ軸を有する。特定の実施形態では、金属充填底部トレンチ２０２は実質的に銅で充填される。特定の実施形態では、金属充填底部トレンチ２０２は、銅パッド２３０を形成し、底部電極３０２の少なくとも一部分は、銅パッド２３０上に形成される。
【００２４】
例えば、図７の磁気トンネル接合デバイス７１４は、図１の底部キャップ層１０６および垂直軸２２０を有する銅を充填された図２の底部トレンチ２０２を含む図７の構造体７１２上に形成されてもよい。図７の磁気トンネル接合デバイス７１４は、図３の底部電極３０２、図４の磁気トンネル接合構造体４０２中の磁気トンネル接合層、図４の磁気トンネル接合シール層４１０、図５の上部電極５０２、および図６のロジックキャップ層６０２を含んでもよい。図７の磁気トンネル接合デバイス７１４は、垂直軸２２０からオフセット４３０だけオフセットしているＭＴＪ軸４２０を有してもよい。特定の実施形態では、図１の底部キャップ層１０６は、図２の銅充填底部トレンチ２０２が形成される前に形成される。
【００２５】
その方法はまた、９０４において、ロジックキャップ層の上に絶縁層を形成し、平坦化するステップも含む。例えば、図６の第３の絶縁層６０４は、図６のロジックキャップ層６０２の上に形成され、平坦化されてもよい。
【００２６】
その方法はさらに、９０６において、絶縁層に上部トレンチを開けるために、上部電極への上部ビアもしくは底部金属充填トレンチ中の金属へのロジックビアを開けるためまたは上部ビアおよびロジックビアを開けるために、上部トレンチおよび上部ビアにもしくはロジックビアにもしくは上部ビアおよびロジックビアに銅を堆積させるために、かつ堆積銅の銅化学機械平坦化を行うために、銅ダマシンプロセスを行うステップを含む。例えば、第２の銅ダマシンプロセスは、図６の第３の絶縁層６０４に図７の上部トレンチ７０２を開けるために、図５の上部電極５０２への図７の上部ビア７０４もしくは図２の底部トレンチ２０２中の銅への図７のロジックビア７０６を開けるためにまたは上部ビア７０４およびロジックビア７０６を開けるために、上部トレンチ７０２および上部ビア７０４もしくはロジックビア７０６にまたは上部ビア７０４およびロジックビア７０６に銅をめっきするために、かつ銅の銅化学機械平坦化を行うために、行われてもよい。
【００２７】
図１０は、磁気トンネル接合（ＭＴＪ）デバイスを形成する方法の第２の説明に役立つ実施形態の第１の部分１０００の流れ図である。第２の説明に役立つ実施形態の第１の部分１０００では、その方法は、１００２において、基板の上に第１の絶縁層を形成するステップを含む。例えば、図１の第１の絶縁層１０４は、図１の基板１０２の上に形成されてもよい。その方法はまた、１００４において、第１の絶縁層の上に底部キャップ層を形成するステップも含む。例えば、図１の底部キャップ層１０６は、図１の第１の絶縁層１０４の上に形成されてもよい。
【００２８】
その方法はさらに、１００６において、第１の絶縁層に底部トレンチおよび底部ビアを開けるために、底部トレンチおよび底部ビアに銅をめっきするために、かつ銅化学機械平坦化（ＣＭＰ）を行うために、第１の銅ダマシンプロセスを行うステップを含み、銅充填底部トレンチは各々、垂直軸を有する。例えば、第１の銅ダマシンプロセスは、図１の第１の絶縁層１０４に図２の底部金属トレンチ２０２および図２の底部ビア２０４を開けるために、底部金属トレンチ２０２および底部ビア２０４に銅をめっきするために、かつ銅化学機械平坦化を行うために、行われてもよく、銅充填底部トレンチは各々、垂直軸２２０を有する。その方法はまた、１００８において、底部キャップ層の上および銅充填底部トレンチの上に底部電極を形成するステップ、１０１０において、底部電極の上に磁気トンネル接合層を形成するステップ、１０１２において、磁気トンネル接合層の上にハードマスクを形成するステップ、および１０１４において、隣接銅充填底部トレンチの垂直軸からオフセットしているＭＴＪ軸を各々有する磁気トンネル接合（ＭＴＪ）構造体をパターン形成するステップも含む。例えば、図３の底部電極３０２は、図１の底部キャップ層１０６の上および図２の銅充填底部トレンチ２０２の上に形成されてもよく、図３の磁気トンネル接合層３０４は、図３の底部電極３０２の上に形成されてもよく、図３のハードマスク３０６は、磁気トンネル接合層３０４の上に形成されてもよく、図３のハードマスク３０６およびフォトレジスト３０８は、銅充填底部トレンチ２０２に重ならないように図４の磁気トンネル接合構造体４０２をパターン形成するために使用されてもよい。磁気トンネル接合構造体４０２の各々は、隣接銅充填底部トレンチ２０２の垂直軸２２０からオフセット４３０であるＭＴＪ軸４２０を有してもよい。
【００２９】
その方法はさらに、１０１６において、磁気トンネル接合構造体の上におよび隣接してならびに底部電極の上に磁気トンネル接合シール層を形成するステップを含む。例えば、図４の磁気トンネル接合シール層４１０は、図４の磁気トンネル接合構造体４０２の上におよび隣接してならびに図３の底部電極３０２の上に形成されてもよい。その方法はまた、１０１８において、磁気トンネル接合シール層の上に第２の絶縁層を形成するステップも含む。例えば、図４の第２の絶縁層４１２は、図４の磁気トンネル接合シール層４１０の上に形成されてもよい。
【００３０】
図１１は、磁気トンネル接合（ＭＴＪ）デバイスを形成する方法の第２の説明に役立つ実施形態の第２の部分１１００の流れ図である。第２の説明に役立つ実施形態の第２の部分１１００では、その方法は、１１０２において、第２の絶縁層を平坦化し、磁気トンネル接合構造体の最上部を開けるステップ、１１０４において、平坦化された第２の絶縁層の上および磁気トンネル接合構造体の最上部の上に上部電極を形成するステップ、および１１０６において、上部電極および底部電極をパターン形成するステップを含む。例えば、図４の第２の絶縁層４１２は、平坦化されて、図４の磁気トンネル接合構造体４０２の図５の最上部５０４を開けてもよく、図５の上部電極５０２は、図４の平坦化された第２の絶縁層４１２の上および図４の磁気トンネル接合構造体４０２の図５の最上部５０４の上に形成されてもよく、図５のハードマスクおよびフォトレジスト５０６は、パターン形成され、図５の上部電極５０２および図３の底部電極３０２をパターン形成するために使用されてもよい。その方法はさらに、１１０８において、底部キャップ層の上にロジックキャップ層を形成するステップを含み、ロジックキャップ層は、磁気トンネル接合シール層に隣接し、第２の絶縁層に隣接し、かつパターン形成された上部電極の上にある。例えば、図６のロジックキャップ層６０２は、図１の底部キャップ層１０６の上に、図４の磁気トンネル接合シール層４１０に隣接して、図４の第２の絶縁層４１２に隣接して、かつ図５のパターン形成された上部電極５０２の上に形成されてもよい。
【００３１】
その方法はまた、１１１０において、ロジックキャップ層の上に第３の絶縁層を形成し、平坦化するステップ、ならびに１１１２において、パターン形成された上部電極への上部ビアおよび銅充填底部トレンチの１つへのロジックビアの少なくとも１つを開け、第３の絶縁層に上部トレンチを開けるために、上部トレンチならびに上部ビアおよびロジックビアの少なくとも１つに銅をめっきするために、かつ銅化学機械平坦化を行うために、第２の銅ダマシンプロセスを行うステップも含む。例えば、図６の第３の絶縁層６０４は、図６のロジックキャップ層６０２の上に形成され、平坦化されてもよく、第２の銅ダマシンプロセスは、図５のパターン形成された上部電極５０２への図７の上部ビア７０４および図２の銅充填底部トレンチ２０２への図７のロジックビア７０６の少なくとも１つを開け、図６の第３の絶縁層６０４に図７の上部トレンチ７０２を開けるために、上部トレンチ７０２ならびに上部ビア７０４およびロジックビア７０６の少なくとも１つに銅をめっきするために、かつ銅化学機械平坦化を行うために、行われてもよい。
【００３２】
図１２は、オフセットＭＴＪ軸およびロジックキャップ層を持つＭＴＪ構造体を有するモジュール１２６４を含むシステム１２００の特定の実施形態のブロック図である。システム１２００は、携帯型電子デバイスに実装されてもよく、ソフトウェア１２６６などのコンピュータ可読命令を保存する、メモリ１２３２などのコンピュータ可読媒体に結合される、デジタルシグナルプロセッサ（ＤＳＰ）などのプロセッサ１２１０を含む。システム１２００は、オフセットＭＴＪ軸およびロジックキャップ層を持つＭＴＪ構造体を有するモジュール１２６４を含む。説明に役立つ例では、オフセットＭＴＪ軸およびロジックキャップ層を持つＭＴＪ構造体を有するモジュール１２６４は、図９〜１１の実施形態のいずれかまたはそれらの任意の組合せに従って作られる、図７のＭＴＪ構造体を含む。オフセットＭＴＪ軸およびロジックキャップ層を持つＭＴＪ構造体を有するモジュール１２６４は、プロセッサ１２１０の中であってもよくまたは別個のデバイスもしくは回路（図示されず）であってもよい。特定の実施形態では、図１２で示されるように、オフセットＭＴＪ軸およびロジックキャップ層を持つＭＴＪ構造体を有するモジュール１２６４は、デジタルシグナルプロセッサ（ＤＳＰ）１２１０にとってアクセスしやすい。別の特定の実施形態では、メモリ１２３２は、オフセットＭＴＪ軸およびロジックキャップ層を持つＭＴＪ構造体を有するモジュール１２６４を含むＳＴＴ−ＭＲＡＭメモリ配列を含む。
【００３３】
カメラインターフェース１２６８は、プロセッサ１２１０に結合され、またビデオカメラ１２７０などのカメラにも結合される。ディスプレイコントローラ１２２６は、プロセッサ１２１０およびディスプレイデバイス１２２８に結合される。コーダー／デコーダー（ＣＯＤＥＣ）１２３４もまた、プロセッサ１２１０に結合できる。スピーカー１２３６およびマイクロフォン１２３８は、ＣＯＤＥＣ１２３４に結合できる。無線インターフェース１２４０は、プロセッサ１２１０および無線アンテナ１２４２に結合できる。
【００３４】
特定の実施形態では、プロセッサ１２１０、ディスプレイコントローラ１２２６、メモリ１２３２、ＣＯＤＥＣ１２３４、無線インターフェース１２４０、およびカメラインターフェース１２６８は、システムインパッケージまたはシステムオンチップデバイス１２２２に含まれる。特定の実施形態では、入力デバイス１２３０および電力供給部１２４４は、システムオンチップデバイス１２２２に結合される。その上、特定の実施形態では、図１２で例示されるように、ディスプレイデバイス１２２８、入力デバイス１２３０、スピーカー１２３６、マイクロフォン１２３８、無線アンテナ１２４２、ビデオカメラ１２７０、および電力供給部１２４４は、システムオンチップデバイス１２２２の外部にある。しかしながら、ディスプレイデバイス１２２８、入力デバイス１２３０、スピーカー１２３６、マイクロフォン１２３８、無線アンテナ１２４２、ビデオカメラ１２７０、および電力供給部１２４４の各々は、インターフェースまたはコントローラなどの、システムオンチップデバイス１２２２の構成要素に結合できる。
【００３５】
前述の開示されたデバイスおよび機能性（図７のデバイス、図９、図１０、もしくは図１１の方法、またはそれらの任意の組合せ）は、設計され、コンピュータ可読媒体に保存されるコンピュータファイル（例えば、ＲＴＬ、ＧＤＳＩＩ、ＧＥＲＢＥＲ、その他）に構成されてもよい。いくつかのまたはすべてのそのようなファイルは、そのようなファイルに基づいてデバイスを製作する製作担当者に提供されてもよい。結果として生じる製品は、半導体ウェハーを含み、それは、次いで半導体ダイに切断され、半導体チップにパッケージ化される。半導体チップは次いで、電子デバイスで用いられる。図１３は、電子デバイス製造プロセス１３００の特定の説明に役立つ実施形態を描写する。
【００３６】
物理的デバイス情報１３０２は、製造プロセス１３００で調査コンピュータ１３０６などにおいて受け取られる。物理的デバイス情報１３０２は、図７のＭＴＪデバイス７１４などの、半導体デバイスの少なくとも１つの物理的性質を表す設計情報を含んでもよい。例えば、物理的デバイス情報１３０２は、調査コンピュータ１３０６に結合されるユーザーインターフェース１３０４を介して入力される物理的パラメーター、材料特性、および構造情報を含んでもよい。調査コンピュータ１３０６は、メモリ１３１０などのコンピュータ可読媒体に結合される、１つまたは複数の処理コアなどのプロセッサ１３０８を含む。メモリ１３１０は、プロセッサ１３０８に物理的デバイス情報１３０２をファイルフォーマットに従い、ライブラリファイル１３１２を生成するように変換させることが実行可能であるコンピュータ可読命令を保存してもよい。
【００３７】
特定の実施形態では、ライブラリファイル１３１２は、変換された設計情報を含む少なくとも１つのデータファイルを含む。例えば、ライブラリファイル１３１２は、電子設計自動化（ＥＤＡ）ツール１３２０とともに使用するために提供される、図７のＭＴＪデバイスを含む半導体デバイスのライブラリを含んでもよい。
【００３８】
ライブラリファイル１３１２は、メモリ１３１８に結合される、１つまたは複数の処理コアなどのプロセッサ１３１６を含む設計コンピュータ１３１４でＥＤＡツール１３２０と併せて使用されてもよい。ＥＤＡツール１３２０は、設計コンピュータ１３１４のユーザーがライブラリファイル１３１２の、図７のＭＴＪデバイス７１４を使用して回路を設計することを可能にするためのプロセッサ実行可能命令としてメモリ１３１８に保存されてもよい。例えば、設計コンピュータ１３１４のユーザーは、設計コンピュータ１３１４に結合されるユーザーインターフェース１３２４を介して回路設計情報１３２２を入力してもよい。回路設計情報１３２２は、図７のＭＴＪデバイス７１４などの半導体デバイスの少なくとも１つの物理的性質を表す設計情報を含んでもよい。例示するために、回路設計特性は、回路設計での特定の回路および他の要素との関係の識別、位置決め情報、特徴サイズ情報、相互接続情報、または半導体デバイスの物理的性質を表す他の情報を含んでもよい。
【００３９】
設計コンピュータ１３１４は、回路設計情報１３２２を含む設計情報をファイルフォーマットに従って変換するように構成されてもよい。例示するために、ファイルフォーメーションは、図形データシステム（ＧＤＳＩＩ）ファイルフォーマットなどの、階層的フォーマットで平面幾何学的形状、テキストラベル、および回路レイアウトについての他の情報を表すデータベースバイナリファイルフォーマットを含んでもよい。設計コンピュータ１３１４は、他の回路または情報に加えて、図７のＭＴＪデバイス７１４を記述する情報を含むＧＤＳＩＩファイル１３２６などの、変換された設計情報を含むデータファイルを生成するように構成されてもよい。例示するために、データファイルは、図７のＭＴＪデバイス７１４を含み、ＳＯＣ内に追加の電子回路および構成要素もまた含むシステムオンチップ（ＳＯＣ）に対応する情報を含んでもよい。
【００４０】
ＧＤＳＩＩファイル１３２６は、ＧＤＳＩＩファイル１３２６中の変換された情報に従って図７のＭＴＪデバイス７１４を製造するために、製作プロセス１３２８で受け取られてもよい。例えば、デバイス製造プロセスは、代表的なマスク１３３２として例示される、フォトリソグラフィー処理に使用されるべきマスクなどの１つまたは複数のマスクを作るために、ＧＤＳＩＩファイル１３２６をマスク製造者１３３０に提供するステップを含んでもよい。マスク１３３２は、１つまたは複数のウェハー１３３４を生成するための製作プロセスの間使用されてもよく、そのウェハーは、テストされ、代表的なダイ１３３６などのダイに分離されてもよい。ダイ１３３６は、図７のＭＴＪデバイス７１４を含む回路を含む。
【００４１】
例示するために、製作プロセス１３２８は、図９の方法または図１０〜１１の方法を行うために、メモリデバイスなどのコンピュータ可読有形記憶媒体に保存される命令を実行するプロセッサを組み込む少なくとも１つのコンピュータを含んでもよい。コンピュータは、１つまたは複数の半導体製作デバイスに結合され、底部キャップ層および垂直軸を有する底部金属充填トレンチを含む構造体上に磁気トンネル接合（ＭＴＪ）デバイスの形成を開始するための命令を実行するように構成されてもよい。磁気トンネル接合デバイスは、底部電極、磁気トンネル接合層、磁気トンネル接合シール層、上部電極、およびロジックキャップ層を含む。磁気トンネル接合デバイスは、垂直軸からオフセットしているＭＴＪ軸を有する。コンピュータはまた、ロジックキャップ層の上に絶縁層の形成および平坦化を開始するためのコンピュータ可読媒体に保存される命令を実行するように構成されてもよい。コンピュータはまた、絶縁層に上部トレンチを開けるために、上部電極への上部ビアを開けるために、底部金属充填トレンチ中の金属へのロジックビアを開けるために、または上部ビアおよびロジックビアを開けるために、上部トレンチおよび上部ビアに、ロジックビアに、もしくは上部ビアおよびロジックビアに銅を堆積させるために、かつ堆積銅の銅化学機械平坦化を行うために、銅ダマシンプロセスを開始するためのコンピュータ可読媒体に保存される命令を実行するように構成されてもよい。
【００４２】
ダイ１３３６は、パッケージ化プロセス１３３８に提供されてもよく、そこでダイ１３３６は、代表的なパッケージ１３４０に組み込まれる。例えば、パッケージ１３４０は、単一ダイ１３３６またはシステムインパッケージ（ＳｉＰ）配置などのマルチダイを含んでもよい。パッケージ１３４０は、電子機器技術評議会（ＪＥＤＥＣ）標準などの、１つもしくは複数の標準または仕様に準拠するように構成されてもよい。
【００４３】
パッケージ１３４０に関する情報は、コンピュータ１３４６に保存される構成要素ライブラリなどを介してさまざまな製品設計者に配布されてもよい。コンピュータ１３４６は、メモリ１３５０に結合される、１つまたは複数の処理コアなどのプロセッサ１３４８を含んでもよい。印刷回路基板（ＰＣＢ）ツールは、ユーザーインターフェース１３４４を介してコンピュータ１３４６のユーザーから受け取られるＰＣＢ設計情報１３４２を処理するためにメモリ１３５０にプロセッサ実行可能命令として保存されてもよい。ＰＣＢ設計情報１３４２は、回路基板上へのパッケージ化半導体デバイスの物理的位置決め情報を含んでもよく、パッケージ化半導体デバイスは、図７のＭＴＪデバイス７１４を含むパッケージ１３４０に対応する。
【００４４】
コンピュータ１３４６は、回路基板上のパッケージ化半導体デバイスの物理的位置決め情報、ならびに配線およびビアなどの電気的接続のレイアウトを含むデータを持つＧＥＲＢＥＲファイル１３５２などのデータファイルを生成するためにＰＣＢ設計情報１３４２を変換するように構成されてもよく、パッケージ化半導体デバイスは、図７のＭＴＪデバイス７１４を含むパッケージ１３４０に対応する。他の実施形態では、変換されたＰＣＢ設計情報によって生成されるデータファイルは、ＧＥＲＢＥＲフォーマット以外のフォーマットを有してもよい。
【００４５】
ＧＥＲＢＥＲファイル１３５２は、基板アセンブリプロセス１３５４で受け取られ、ＧＥＲＢＥＲファイル１３５２内に保存される設計情報に従って製造される、代表的なＰＣＢ１３５６などのＰＣＢを作るために使用されてもよい。例えば、ＧＥＲＢＥＲファイル１３５２は、ＰＣＢ生産プロセスのさまざまなステップを行うための１つまたは複数の機械にアップロードされてもよい。ＰＣＢ１３５６は、代表的な印刷回路アセンブリ（ＰＣＡ）１３５８を形成するためにパッケージ１３４０を含む電子部品を装着されてもよい。
【００４６】
ＰＣＡ１３５８は、製品製造プロセス１３６０で受け取られ、第１の代表的な電子デバイス１３６２および第２の代表的な電子デバイス１３６４などの、１つまたは複数の電子デバイスに統合されてもよい。説明に役立つ、限定しない例として、第１の代表的な電子デバイス１３６２、第２の代表的な電子デバイス１３６３、または両方は、セットトップボックス、音楽プレーヤー、ビデオプレーヤー、娯楽装置、ナビゲーションデバイス、通信デバイス、携帯情報端末（ＰＤＡ）、固定位置データ装置、およびコンピュータの群から選択されてもよい。別の説明に役立つ、限定しない例として、電子デバイス１３６２および１３６４の１つまたは複数は、携帯電話、手持ち式個人用通信システム（ＰＣＳ）装置などの遠隔装置、個人用データ補助装置、グローバルポジショニングシステム（ＧＰＳ）使用可能デバイス、ナビゲーションデバイスなどの携帯型データ装置、メーター読み取り装置などの固定位置データ装置、またはデータもしくはコンピュータ命令を保存しもしくは読み出す任意の他のデバイス、またはそれらの組合せであってもよい。図１３は、本開示の教示による遠隔装置を例示するけれども、本開示は、これらの典型的な例示される装置に限定されない。本開示の実施形態は、メモリおよびオンチップ回路を含む能動的集積回路を含む任意のデバイスで適切に用いられてもよい。
【００４７】
このように、図７のＭＴＪデバイス７１４は、説明に役立つプロセス１３００で述べられるように、製作され、処理され、電子デバイスに組み込まれてもよい。図１〜１１に関して開示される実施形態の１つまたは複数の態様は、さまざまな処理段階において、ライブラリファイル１３１２、ＧＤＳＩＩファイル１３２６、およびＧＥＲＢＥＲファイル１３５２などの中に含まれ、ならびに調査コンピュータ１３０６のメモリ１３１０、設計コンピュータ１３１４のメモリ１３１８、コンピュータ１３４６のメモリ１３５０、基板アセンブリプロセス１３５４などのさまざまな段階で使用される１つもしくは複数の他のコンピュータまたはプロセッサ（図示されず）のメモリに保存され、またマスク１３３２、ダイ１３３６、パッケージ１３４０、ＰＣＡ１３５８、プロトタイプ回路もしくはデバイス（図示されず）などの他の製品、またはそれらの任意の組合せなどの１つもしくは複数の他の物理的実施形態に組み込まれてもよい。例えば、ＧＤＳＩＩファイル１３２６または製作プロセス１３２８は、コンピュータによって実行可能な命令を保存するコンピュータ可読有形媒体を含むことができ、その命令は、図７のＭＴＪデバイス７１４の形成を開始するためのコンピュータによって実行可能な命令を含む。物理的デバイス設計から最終製品までの生産のさまざまな代表的な段階が、描写されるけれども、他の実施形態では、より少ない段階が、使用されてもよく、または追加の段階が、含まれてもよい。同様に、プロセス１３００は、プロセス１３００のさまざまな段階を行う単一の実体によって、または１つもしくは複数の実体によって行われてもよい。
【００４８】
当業者はさらに、本明細書で開示される実施形態に関連して述べられるさまざまな説明に役立つ論理ブロック、構成、モジュール、回路、および方法ステップが、電子ハードウェア、処理装置によって実行されるコンピュータソフトウェア、または両方の組合せとして実施されてもよいことを理解することになる。さまざまな説明に役立つ構成要素、ブロック、構成、モジュール、回路、およびステップは、それらの機能性の観点から上で一般的に述べられた。そのような機能性がハードウェアまたは実行可能な処理命令として実施されるかどうかは、特定の応用およびシステム全体に課せられる設計制約に依存する。当業者は、述べられる機能性を各特定の応用のためにさまざまな方法で実施してもよいが、しかしそのような実施の決定は、本開示の範囲からの逸脱を引き起こすと解釈されるべきでない。
【００４９】
本明細書で開示される実施形態に関連して述べられる方法またはアルゴリズムのステップは、直接ハードウェアで、プロセッサによって実行されるソフトウェアモジュールで、または２つの組合せで具体化されてもよい。ソフトウェアモジュールは、ランダムアクセスメモリ（ＲＡＭ）、磁気抵抗ランダムアクセスメモリ（ＭＲＡＭ）、スピントルク転送型磁気抵抗ランダムアクセスメモリ（ＳＴＴ−ＭＲＡＭ）、フラッシュメモリ、読み出し専用メモリ（ＲＯＭ）、プログラマブル読み出し専用メモリ（ＰＲＯＭ）、消去可能なプログラマブル読み出し専用メモリ（ＥＰＲＯＭ）、電気的に消去可能なプログラマブル読み出し専用メモリ（ＥＥＰＲＯＭ）、レジスタ、ハードディスク、取り外し可能なディスク、コンパクトディスク読み出し専用メモリ（ＣＤ−ＲＯＭ）、または当技術分野で周知の任意の他の形態の記憶媒体に存在してもよい。例となる記憶媒体は、プロセッサに結合され、その結果プロセッサは、記憶媒体から情報を読み出し、記憶媒体に情報を書き込むことができる。別の方法では、記憶媒体は、プロセッサと一体であってもよい。プロセッサおよび記憶媒体は、特定用途向け集積回路（ＡＳＩＣ）に存在してもよい。ＡＳＩＣは、コンピュータデバイスまたはユーザー端末に存在してもよい。別の方法では、プロセッサおよび記憶媒体は、コンピュータデバイスまたはユーザー端末に個別構成要素として存在してもよい。
【００５０】
開示される実施形態の先の記述は、当業者なら開示される実施形態を作るまたは使用することができるように提供される。これらの実施形態へのさまざまな変更は、当業者には容易に明らかとなり、本明細書で規定される原理は、本開示の範囲から逸脱することなく他の実施形態に適用されてもよい。それ故に、本開示は、本明細書で示される実施形態に限定されることを意図されず、次に来る特許請求の範囲によって規定されるような原理および新規の特徴と一致する可能な最大範囲を与えられるべきである。
【符号の説明】
【００５１】
１００  磁気トンネル接合デバイスを製作するプロセスでの少なくとも１つの段階の第１の説明に役立つ図
１０２  基板
１０４  第１の絶縁層
１０６  底部キャップ層
１０８  ＭＲＡＭ領域
１１０  ロジック領域
２００  磁気トンネル接合デバイスを製作するプロセスでの少なくとも１つの段階の第２の説明に役立つ図
２０２  底部トレンチ
２０４  底部ビア
２２０  垂直軸
２３０  銅パッド
３００  磁気トンネル接合デバイスを製作するプロセスでの少なくとも１つの段階の第３の説明に役立つ図
３０２  底部電極
３０４  磁気トンネル接合層
３０６  ハードマスク
３０８  フォトレジスト
４００  磁気トンネル接合デバイスを製作するプロセスでの少なくとも１つの段階の第４の説明に役立つ図
４０２  磁気トンネル接合構造体
４０４  固定層
４０６  障壁層
４０８  自由層
４１０  磁気トンネル接合シール層
４１２  第２の絶縁層
４２０  ＭＴＪ軸
４２２  ＭＴＪ磁化軸
４３０  オフセット
５００  磁気トンネル接合デバイスを製作するプロセスでの少なくとも１つの段階の第５の説明に役立つ図
５０２  上部電極
５０４  磁気トンネル接合構造体の最上部
５０６  ハードマスクおよびフォトレジスト
６００  磁気トンネル接合デバイスを製作するプロセスでの少なくとも１つの段階の第６の説明に役立つ図
６０２  ロジックキャップ層
６０４  第３の絶縁層
７００  磁気トンネル接合デバイスを製作するプロセスでの少なくとも１つの段階の第７の説明に役立つ図
７０２  上部トレンチ
７０４  上部ビア
７０６  ロジックビア
７０８  最終キャップ層
７１０  装置
７１２  構造体
７１４  磁気トンネル接合デバイス
８００  磁気トンネル接合デバイスを製作するプロセスでの少なくとも１つの段階の第８の説明に役立つ図
９００  磁気トンネル接合デバイスを形成する方法の第１の説明に役立つ実施形態
９０２  構造体上に磁気トンネル接合デバイスを形成するステップ
９０４  ロジックキャップ層の上に絶縁層を形成し、平坦化するステップ
９０６  銅ダマシンプロセスを行うステップ
１０００  磁気トンネル接合デバイスを形成する方法の第２の説明に役立つ実施形態の第１の部分
１００２  基板の上に第１の絶縁層を形成するステップ
１００４  第１の絶縁層の上に底部キャップ層を形成するステップ
１００６  第１の銅ダマシンプロセスを行うステップ
１００８  底部キャップ層の上および銅充填底部トレンチの上に底部電極を形成するステップ
１０１０  底部電極の上に磁気トンネル接合層を形成するステップ
１０１２  磁気トンネル接合層の上にハードマスクを形成するステップ
１０１４  磁気トンネル接合構造体をパターン形成するステップ
１０１６  磁気トンネル接合構造体の上におよび隣接してならびに底部電極の上に磁気トンネル接合シール層を形成するステップ
１０１８  磁気トンネル接合シール層の上に第２の絶縁層を形成するステップ
１１００  磁気トンネル接合デバイスを形成する方法の第２の説明に役立つ実施形態の第２の部分
１１０２  第２の絶縁層を平坦化し、磁気トンネル接合構造体の最上部を開けるステップ
１１０４  平坦化された第２の絶縁層の上および磁気トンネル接合構造体の最上部の上に上部電極を形成するステップ
１１０６  上部電極および底部電極をパターン形成するステップ
１１０８  底部キャップ層の上にロジックキャップ層を形成するステップ
１１１０  ロジックキャップ層の上に第３の絶縁層を形成し、平坦化するステップ
１１１２  第２の銅ダマシンプロセスを行うステップ
１２００  システム
１２１０  プロセッサ
１２２２  システムインパッケージまたはシステムオンチップデバイス
１２２６  ディスプレイコントローラ
１２２８  ディスプレイデバイス
１２３０  入力デバイス
１２３２  メモリ
１２３４  コーダー／デコーダー（ＣＯＤＥＣ）
１２３６  スピーカー
１２３８  マイクロフォン
１２４０  無線インターフェース
１２４２  無線アンテナ
１２４４  電力供給部
１２６４  オフセットＭＴＪ軸およびロジックキャップ層を持つＭＴＪ構造体を有するモジュール
１２６６  ソフトウェア
１２６８  カメラインターフェース
１２７０  ビデオカメラ
１３００  電子デバイス製造プロセス
１３０２  物理的デバイス情報
１３０４  ユーザーインターフェース
１３０６  調査コンピュータ
１３０８  プロセッサ
１３１０  メモリ
１３１２  ライブラリファイル
１３１４  設計コンピュータ
１３１６  プロセッサ
１３１８  メモリ
１３２０  電子設計自動化（ＥＤＡ）ツール
１３２２  回路設計情報
１３２４  ユーザーインターフェース
１３２６  ＧＤＳＩＩファイル
１３２８  製作プロセス
１３３０  マスク製造者
１３３２  マスク
１３３４  ウェハー
１３３６  ダイ
１３３８  パッケージ化プロセス
１３４０  パッケージ
１３４２  印刷回路基板（ＰＣＢ）設計情報
１３４４  ユーザーインターフェース
１３４６  コンピュータ
１３４８  プロセッサ
１３５０  メモリ
１３５２  ＧＥＲＢＥＲファイル
１３５４  基板アセンブリプロセス
１３５６  印刷回路基板（ＰＣＢ）
１３５８  印刷回路アセンブリ（ＰＣＡ）
１３６０  製品製造プロセス
１３６２  第１の代表的な電子デバイス
１３６４  第２の代表的な電子デバイス
【図９】
2014135518.tif 000003
【図１０】
2014135518.tif 000004
【図１１】
2014135518.tif 000005
【図１２】
2014135518.tif 000006
【図１３】
2014135518.tif 000007
【図１】
2014135518.tif 000008
【図２】
2014135518.tif 000009
【図３】
2014135518.tif 000010
【図４】
2014135518.tif 000011
【図５】
2014135518.tif 000012
【図６】
2014135518.tif 000013
【図７】
2014135518.tif 000014
【図８】
2014135518.tif 000015
【外国語明細書】
2014135518000001.pdf